【事件の表示】
　特願２０１３−　５４９９５「映像処理装置、映像再生装置、映像処理方法、映像再生方法及び映像処理システム」拒絶査定不服審判事件〔平成２６年　９月２９日出願公開、特開２０１４−１８３３５３〕について、次のとおり審決する。
【結　論】
　本件審判の請求は、成り立たない。
【理　由】
第１　経緯  
１．手続  
　本件出願は、平成２５年３月１８日に出願したものであって、手続の概要は以下のとおりである。  
 　  
　拒絶理由通知　　　　　　：平成２７年　４月１６日（起案日）  
　手続補正　　　　　　　　：平成２７年　６月１５日  
　拒絶査定　　　　　　　　：平成２８年　１月２８日（起案日）  
　拒絶査定不服審判請求　　：平成２８年　５月　９日  
　手続補正　　　　　　　　：平成２８年　５月　９日  
　前置審査報告　　　　　　：平成２８年　８月　３日  
２．査定  
　原査定の理由は、概略、以下のとおりである。  
 　  
（理由１）
　本願の請求項１，８，９，１２，１４ないし１６に係る発明は、いずれも、その出願前日本国内又は外国において頒布された下記の刊行物に記載された発明であるから、特許法第２９条第１項第３号の規定により特許を受けることができない。
（理由２）
　本願の請求項１ないし１６に係る発明は、いずれも、その出願前日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。  
　　　　　記（刊行物）  
　刊行物：特開２００２−３３０４４０号公報  
 　 
第２　補正の却下の決定  
　平成２８年５月９日付けの手続補正について次のとおり決定する。  
 　  
《結論》  
　平成２８年５月９日付けの手続補正を却下する。  
 　  
《理由》 
１．補正の内容  
　平成２８年５月９日付けの手続補正（以下「本件補正」という。）は、特許請求の範囲についてする下記の補正事項を含むものである（アンダーラインは補正箇所）。  
 　  
　　　　　　記（補正事項）  
　請求項１について  
「第１の画質を有する第１の動画像と同一の内容であり、前記第１の画質より高い第２の画質で、前記第１の動画像の一部の領域に対応するサイズを有する第２の動画像を生成する画像生成部と、
　前記第１の動画像の一部を前記第２の動画像に置き換えて前記第１の動画像及び前記第２の動画像を同時に再生させるための再生情報を生成する再生情報生成部と、
を備え、
　前記画像生成部は、前記再生情報生成部が生成する再生情報に基づいて前記第２の動画像の領域をフレーム毎に決定し、前記第１の動画像及び前記第２の動画像を同時に再生させる期間における、決定した前記領域を網羅する画素群に対して前記第２の画質で前記領域の動画像と同一の内容の動画像を生成する、映像処理装置。」（補正前）
　とあるのを、
「第１の画質を有する第１の動画像と同一の内容であり、前記第１の画質より高い第２の画質で、前記第１の動画像の一部の領域に対応するサイズを有する第２の動画像を生成する画像生成部と、
　前記第１の動画像の一部を前記第２の動画像に置き換えて前記第１の動画像及び前記第２の動画像を同時に再生させるための再生情報を生成する再生情報生成部と、
を備え、
　前記画像生成部は、前記再生情報生成部が生成する再生情報に基づいて前記第２の動画像の領域をフレーム毎に決定し、前記第１の動画像及び前記第２の動画像を同時に再生させる期間における、決定した前記領域を網羅する画素群に対して前記第２の画質で前記領域の動画像と同一の内容の動画像を生成
し、前記第１の動画像の伝送時の帯域に応じて前記第２の動画像の伝送時の帯域を決定
　と補正する。  
 　 
２．本件補正の適合性  
（１）補正の範囲・単一性  
　上記補正事項は、願書に最初に添付した明細書の記載（段落【０１１９】）に基づくものであり、願書に最初に添付した明細書又は図面に記載した事項の範囲内においてする補正であって、発明の特別な技術的特徴を変更する補正でもない。  
 　  
（２）補正の目的  
　上記補正事項は、「前記画像生成部」について「前記第１の動画像の伝送時の帯域に応じて前記第２の動画像の伝送時の帯域を決定する」の構成を付加するものであり、当該構成を付加する補正は、「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」ということができる。
　したがって、上記補正事項は、特許法第１７条の２第５項第２号に規定された特許請求の範囲の減縮を目的とするものに該当する。  
 　  
（３）独立特許要件  
　以上のとおり、本件補正は、特許請求の範囲の減縮を目的とする補正を含むものであるので、以下、独立特許要件について検討する。  
 　 
ア．補正後の請求項１に係る発明  
　本件補正後の請求項１に係る発明（以下「本件補正発明」という。）は、次のとおりである。なお、本件補正発明の各構成の符号は、説明のために当審のおいて付与したものであり、以下、構成（Ａ）、構成（Ｂ）などと称する。 
　【請求項１】
（Ａ）第１の画質を有する第１の動画像と同一の内容であり、前記第１の画質より高い第２の画質で、前記第１の動画像の一部の領域に対応するサイズを有する第２の動画像を生成する画像生成部と、
（Ｂ）前記第１の動画像の一部を前記第２の動画像に置き換えて前記第１の動画像及び前記第２の動画像を同時に再生させるための再生情報を生成する再生情報生成部と、
を備え、
（Ｃ）前記画像生成部は、前記再生情報生成部が生成する再生情報に基づいて前記第２の動画像の領域をフレーム毎に決定し、前記第１の動画像及び前記第２の動画像を同時に再生させる期間における、決定した前記領域を網羅する画素群に対して前記第２の画質で前記領域の動画像と同一の内容の動画像を生成し、前記第１の動画像の伝送時の帯域に応じて前記第２の動画像の伝送時の帯域を決定する、
（Ｄ）映像処理装置。
 　 
イ．引用例の記載  
　原査定の拒絶の理由に引用された刊行物である特開２００２−３３０４４０号公報（以下「引用例」という。）には、「画像伝送方法、画像伝送方法のプログラム、画像伝送方法のプログラムを記録した記録媒体及び画像伝送装置」（発明の名称）に関し、図面と共に次に掲げる事項が記載されている。  
 　  
「【０００１】
【発明の属する技術分野】本発明は、画像伝送方法、画像伝送方法のプログラム、画像伝送方法のプログラムを記録した記録媒体及び画像伝送装置に関し、例えばネットワークを介して動画像ストリーミングを配信する場合に適用することができる。本発明は、全体の画像データを高いデータ圧縮率により送出すると共に、伝送対象より取得した位置情報を基準にして一部領域を高精細により伝送することにより、１つのピクチャーの特定の領域についてのみデータ圧縮率を小さくして動画像ストリーミングを配信する場合等に、ユーザーの要望に的確に対応することができるようにする。
【０００２】
【従来の技術】従来、インターネット等のネットワークにおける動画像ストリーミングの配信においては、例えばＭＰＥＧ４（Moving Picture Experts Group）等の実時間圧縮伝達システムが適用されるようになされている。
【０００３】すなわちＭＰＥＧ４は、連続するピクチャー間の相関を有効に利用して動画像データを効率良くデータ圧縮する技術であり、ＭＰＥＧ４による動画像ストリーミングの配信においては、通信回線の容量に応じたビットレートによりデータ伝送できるように、発生符号量に応じてデータ圧縮率を可変するようになされている。
【０００４】このような実時間圧縮伝達システムにおいては、データ圧縮率を高くすると、その分、元の動画像データに含まれる情報が欠落し、伝送対象で鮮明な画像（高画質の画像）を再生できなくなる。しかしながらデータ圧縮率を低くすると、限りのある通信回線により動画像データを伝送できなくなる。
【０００５】このため１つのピクチャーの特定の領域についてのみデータ圧縮率を小さくして動画像データをデータ圧縮することにより、１つのピクチャーの中で、ユーザーが詳細な画像を求める部分だけ高精細な画像により伝送し、背景等のユーザーがあまり詳細な画像を求めない部分については、画質の劣化を許容して画像を伝送し、これらにより容量に限りのある通信回線により動画像データを効率良く伝送する方法が提案されるようになされている（いわゆるＲＯＩ：である）。
【０００６】
【発明が解決しようとする課題】しかしながら送出側で高精細により伝送する部分として切り出した部分が、ユーザーが要望する部分と異なる場合も考えられる。すなわちユーザーにおいては、趣味、嗜好が種々に異なることにより、例えばサッカー等の競技の放送において、守備側の特定選手の詳細な画像を求めるユーザーもいれば、これに反して攻撃側の特定選手の詳細な画像を求めるユーザーも存在する。
【０００７】このようにユーザーが要望する部分と異なる部分を高精細により伝送する場合、高精細により伝送される部分は、ユーザーにとって全く無駄な部分となり、またユーザーにおいては、詳細な画像を求める部分が詳細に表示されなくなる。
【０００８】これらによりこのように１つのピクチャーの特定の領域についてのみデータ圧縮率を小さくして動画像ストリーミングを配信する場合にあっては、従来、ユーザーの要望に的確に対応できない問題があった。
【０００９】本発明は以上の点を考慮してなされたもので、１つのピクチャーの特定の領域についてのみデータ圧縮率を小さくして動画像ストリーミングを配信する場合等に、ユーザーの要望に的確に対応することができる画像伝送方法、画像伝送方法のプログラム、画像伝送方法のプログラムを記録した記録媒体及び画像伝送装置を提案しようとするものである。
【００１０】
【課題を解決するための手段】かかる課題を解決するため請求項１の発明においては、動画像データを符号化処理して送出する画像伝送方法に適用して、伝送対象より得られる位置情報に基づいて、動画像データの一部領域の画像データを、第１の符号化ステップによる場合に比して、高精細により符号化処理して送出する第２の符号化ステップを有するようにする。
【００１１】また請求項３の発明においては、動画像データを符号化処理して送出する画像伝送方法のプログラムに適用して、伝送対象より得られる位置情報に基づいて、動画像データの一部領域の画像データを、第１の符号化ステップによる場合に比して、高精細により符号化処理して送出する第２の符号化ステップを有するようにする。
【００１２】また請求項４の発明においては、動画像データを符号化処理して送出する画像伝送方法のプログラムを記録した記録媒体に適用して、この画像伝送方法のプログラムが、伝送対象より得られる位置情報に基づいて、動画像データの一部領域の画像データを、第１の符号化ステップによる場合に比して、高精細により符号化処理して送出する第２の符号化ステップとを有するようにする。
【００１３】また請求項５の発明においては、動画像データを符号化処理して送出する画像伝送装置に適用して、伝送対象より得られる位置情報に基づいて、動画像データの一部領域の画像データを、先の動画像ストリーミングによる場合に比して、高精細により符号化処理して送出する第２の符号化手段を有するようにする。
【００１４】請求項１の構成によれば、画像伝送方法に適用して、伝送対象より得られる位置情報に基づいて、動画像データの一部領域の画像データを、第１の符号化ステップによる場合に比して、高精細により符号化処理して送出する第２の符号化ステップを有することにより、高精細により伝送する領域をユーザーの指定により設定することができる。これにより１つのピクチャーの特定の領域についてのみデータ圧縮率を小さくして動画像ストリーミングを配信する場合等に、ユーザーの要望に的確に対応することができる。
【００１５】これにより請求項３又は請求項４の構成によれば、１つのピクチャーの特定の領域についてのみデータ圧縮率を小さくして動画像ストリーミングを配信する場合等に、ユーザーの要望に的確に対応することができる画像伝送方法のプログラム又は画像伝送方法のプログラムを記録した記録媒体を提供することができる。
【００１６】また請求項５の構成によれば、画像伝送装置に適用して、伝送対象より得られる位置情報に基づいて、動画像データの一部領域の画像データを、先の動画像ストリーミングによる場合に比して、高精細により符号化処理して送出する第２の符号化手段を有することにより、高精細により伝送する領域をユーザーの指定により設定することができる。これにより１つのピクチャーの特定の領域についてのみデータ圧縮率を小さくして動画像ストリーミングを配信する場合等に、ユーザーの要望に的確に対応することができる。
【００１７】
【発明の実施の形態】以下、適宜図面を参照しながら本発明の実施の形態を詳述する。
【００１８】（１）第１の実施の形態
（１−１）第１の実施の形態の構成
図１は、本発明の第１の実施の形態に係る動画像配信システムを示すブロック図である。この動画像配信システム１は、インターネット等のネットワーク２を介して送信側３より動画像ストリーミングを送信し、受信側４で受信する。
【００１９】すなわち送信側３において、カメラ５は、所望の被写体を撮像して動画像による画像データＤＶを出力し、フレームメモリ６は、この画像データＤＶを一時保持して出力する。
【００２０】領域抽出装置７は、フレームメモリ６から出力される画像データＤＶをそのまま全景画像符号化装置８に出力する。また領域抽出装置７は、図２に示すように、このように全景画像符号化装置８に出力する画像データＤＶについて、ネットワーク受信装置１３より位置情報ＤＰが通知されると、この位置情報ＤＰに基づいて、一部領域ＡＲ１を設定し、この一部領域ＡＲ１の画像データＳＶ１を併せて高精細画像符号化装置１０に出力する。
【００２１】ここでこの位置情報ＤＰは、画像データＤＶによる画像上において受信側４で選択された位置を示す情報であり、受信側４におけるユーザーの操作により受信側４より送信される。領域抽出装置７は、この位置情報ＤＰにより指示される画像上の位置を中心にして、水平方向及び垂直方向に所定の領域ＡＲ１を設定し、この領域ＡＲ１の画像データＤＶ１を高精細画像符号化装置１０に出力する。
【００２２】また領域抽出装置７は、この位置情報ＤＰがネットワーク受信装置１３から通知されると、内蔵のタイマを用いた時間計測により、所定時間の間、この領域ＡＲ１の画像データＤＶ１を高精細画像符号化装置１０に出力し、この所定時間が経過すると高精細画像符号化装置１０への画像データＤＶ１の出力を中止する。
【００２３】全景画像符号化装置８は、例えばＭＰＥＧ４の方式により、領域抽出装置７より得られる画像データＤＶを比較的高いデータ圧縮率によりデータ圧縮して出力し、ネットワーク送信装置１１は、この全景画像符号化装置８の出力データをネットワーク２に送出する。これにより送信側３においては、カメラ５で得られる画像データＤＶの全てを比較的高いデータ圧縮率によりデータ圧縮して配信するようになされている。
【００２４】高精細画像符号化装置１０は、全景画像符号化装置８と同様の予測符号化により、領域抽出装置７より得られる画像データＤＶ１をデータ圧縮して出力する。この処理において高精細画像符号化装置１０は、全景画像符号化装置８に比して低いデータ圧縮率により画像データＤＶ１をデータ圧縮して出力することにより、全景画像符号化装置８より出力される動画像ストリーミングに比して高精細により動画像データを符号化処理して出力する。
【００２５】ネットワーク送信装置１２は、この高精細画像符号化装置１０の出力データをネットワーク２に送出する。これにより送信側３においては、カメラ５で得られる画像データＤＶのうち、位置情報ＤＰを基準にした一部領域の画像データを、画像データＤＶの全てを伝送する場合に比して、高精細により符号化処理して送出するようになされている。
【００２６】ネットワーク受信装置１３は、受信側４より送信される位置情報ＤＰを取得して領域抽出装置７に通知する。これらによりこの動画像配信システム１では、画像データＤＶ１を高いデータ圧縮率により伝送すると共に、この受信側４の指示に応じて、画像データＤＶ１による画像の一部を高精細により伝送するようになされている。
【００２７】これらに対応して受信側４において、ネットワーク受信装置１５は、ネットワーク送信装置１１より送出される動画像ストリーミングを受信して出力する。全景画像復号化装置１６は、このネットワーク受信装置１５より出力される動画像ストリーミングより画像データＤＶを復号して出力する。
【００２８】ネットワーク受信装置１７は、ネットワーク送信装置１２より送出される動画像ストリーミングを受信して出力する。高精細画像復号化装置１８は、このネットワーク受信装置１７より出力される動画像ストリーミングより画像データＤＶ１を復号して出力する。
【００２９】画像合成装置１９は、高精細画像復号化装置１８より出力される画像データＤＶ１により全景画像復号化装置１６より出力される画像データＤＶを置き換えてフレームメモリ２０に出力する。フレームメモリ２０は、この画像合成装置１９の出力データを一時保持して出力し、表示装置２１は、このフレームメモリ２０の出力データを表示する。
【００３０】入力装置２２は、マウス等の２次元の座標入力手段により構成され、ユーザーによる操作により表示装置２１により表示される画像上でカーソルを移動させ、さらにユーザーの操作によりカーソルの表示位置の座標情報ＤＰを出力する。ネットワーク送信装置２４は、この座標情報ＤＰをネットワーク２を介して送信側３に送信する。
【００３１】（１−２）第１の実施の形態の動作
以上の構成において、この動画像配信システム１では（図１）、カメラ５より得られる画像データＤＶが全景画像符号化装置８に入力され、ここでデータ圧縮されて動画像ストリーミングが生成される。さらにこの動画像ストリーミングがネットワーク２を介して受信側４に送信され、受信側４の全景画像復号化装置１６において元の画像データＤＶが復号される。さらにこの画像データＤＶにより表示装置２１で画像が表示される。
【００３２】これによりこの動画像配信システム１では、カメラ５で撮像した映像を表示装置２１により視聴することができる。このようにして伝送されるに動画像ストリーミングにおいては、全景画像符号化装置８において高いデータ圧縮率でデータ圧縮されていることにより、細かな情報が欠落して伝送され、その分、元の画像データＤＶに比して画質が劣化して伝送される。
【００３３】これによりユーザーにおいて、詳細に視聴したい箇所が存在する場合には、このようにして表示装置２１で表示されている画像において、入力装置２２の操作により、この詳細に視聴したい箇所を指示すると、この箇所の位置情報ＤＰが送信側３に通知される（図２）。送信側３においては、この通知により、この位置情報ＤＰにより特定される所定領域ＡＲ１の画像データＤＶ１が領域抽出装置７より高精細画像符号化装置１０に出力され、ここで画像データＤＶによる動画像ストリーミングに比して小さなデータ圧縮率によりユーザーの所望する箇所の画像データＤＶ１がデータ圧縮される。さらにこのデータ圧縮による動画像ストリーミングが受信側４に伝送され、受信側４で復号され、画像データＤＶによる画像の一部がこの高精細による動画像と置き換えられる。
【００３４】これによりこの実施の形態においては、ユーザーが詳細に見たいと望む箇所を高精細により提供することができ、その分、１つのピクチャーの特定の領域についてのみデータ圧縮率を小さくして動画像ストリーミングを配信する場合等に、ユーザーの要望に的確に対応することができる。
【００３５】このようにして伝送する動画像ビットストリーミングにおいては、動画像であることにより、ユーザーが詳細に視聴したいと望む被写体にあっても、時間の経過に伴い、ユーザーが指定した領域ＡＲ１より外れることが考えられる。これにより送信側３においては、このような位置情報ＤＰが受信側４より通知されると、所定時間の間だけ、高精細による動画像ストリーミングを送出し、この所定時間を経過すると、高精細による動画像ストリーミングの送出が中止される。これによりこの動画像配信システム１では、無駄なデータ伝送を有効に回避するようになされている。
【００３６】かくするにつき、図３は、この送信側３における処理手順を示すフローチャートである。送信側３においては、動画像の配信を開始すると、ステップＳＰ１からステップＳＰ２に移り、カメラ５により伝送に供する画像をキャプチャし、続くステップＳＰ３において、ネットワーク受信装置１３により位置情報ＤＰが得られたか否か判断することにより、高精細による画像抽出の処理が必要か否か判断する。
【００３７】ここで肯定結果が得られると、送信側３では、ステップＳＰ４に移り、領域抽出装置７においてタイマをセットする。さらに続くステップＳＰ５において、このタイマをアップカウントした後、ステップＳＰ６において、位置情報ＤＰより領域ＡＲ１の画像データＳＶ１を抽出し、続くステップＳＰ７において、この抽出した画像データＤＶ１を高精細画像符号化装置１０により符号化する。さらに続くステップＳＰ８において、対応する全景画像である画像データＤＶを全景画像符号化装置８に与え、続くステップＳＰ９において、この画像データＤＶを符号化処理する。送信側３では、このようにして生成した２系統の動画像ストリーミングを送信側に送出した後、続くピクチャーの処理のためにステップＳＰ２に戻る。
【００３８】これに対してステップＳＰ３で否定結果が得られると、送信側３は、ステップＳＰ１０に移り、ステップＳＰ５でアップカウントしたタイマにより、高精細による動画像ストリーミングの送出を開始して所定時間以上経過したか否か判断し、ここで否定結果が得られると、ステップＳＰ５に移る。これによりこの場合も、高精細による動画像ストリーミングを送信するようになされている。
【００３９】これに対してステップＳＰ１０で肯定結果が得られると、この場合、送信側３は、ステップＳＰ８に移り、高精細による動画像ストリーミングを送出することなく、全景画像符号化装置８による全景の動画像ストリーミングだけを送出する。
【００４０】（１−３）第１の実施の形態の効果
以上の構成によれば、全体の画像データを高いデータ圧縮率により送出すると共に、伝送対象より取得した位置情報を基準にして一部領域を高精細により伝送することにより、１つのピクチャーの特定の領域についてのみデータ圧縮率を小さくして動画像ストリーミングを配信する場合等に、ユーザーの要望に的確に対応することができる。」
「【００５０】また上述の実施の形態においては、伝送対象より取得した位置情報により高精細により伝送する領域を一旦設定すると、所定時間の間、この領域を高精細により伝送する場合について述べたが、本発明はこれに限らず、例えば動き追跡の手法を適用して、被写体を動きに追従するように、高精細により伝送する領域を移動させるようにしてもよく、さらには被写体の変化に応じて、このような領域を拡大、縮小するようにしてもよい。」
（引用例の記載、以上）  
 　 
ウ．引用例に記載された発明 
（ア）引用例の【００１８】等の記載によれば、引用例には、動画像配信システムに関する発明が開示されている。
　
（イ）引用例の段落【００１９】ないし【００２４】，図１，２等の記載によると、上記動画像配信システムは、カメラが撮像した動画像による画像データＤＶを、フレームメモリを介して、全景画像符号化装置８で符号化することと同時に、位置情報ＤＰが通知されると、所定の期間、上記位置情報ＤＰに対応する上記ＤＶの所定の領域ＡＲ１について、高精細画像符号化装置１０で符号化することが開示されている。
　したがって、上記動画像配信システムは、カメラが撮像した動画像による画像データＤＶを、フレームメモリを介して符号化する全景画像符号化装置８と、位置情報ＤＰが通知されると、所定の期間、上記位置情報ＤＰに対応する上記ＤＶの所定の領域ＡＲ１について高精細符号化する高精細画像符号化装置１０を備えている。
　
（ウ）引用例の段落【００２０】−【００２２】，【００２９】，図１，２等の記載によると、上記動画像配信システムは、位置情報ＤＰにより指示される画像上の位置を中心にして、水平方向及び垂直方向に一部領域ＡＲ１を設定する領域抽出装置７を有し、この領域ＡＲ１の画像データＤＶ１を所定の期間高精細画像符号化装置１０で符号化すること、及び、受信側の画像合成装置１９で、全景画像復号化装置１６より出力される画像データＤＶを、高精細画像復号化装置１８より出力される画像データＤＶ１により置き換えて表示することが開示されている。
　上記復号化時の構成において、再生時に、全景画像復号化装置１６に与えられる符号化された画像データは全景画像符号化装置８で符号化された画像データであり、高精細画像復号化装置１８に与えられる符号化された画像データは高精細画像符号化装置１０で符号化された画像データであることは、図１、【００２７】、【００２８】等の記載から明らかである。
　以上の開示から、上記動画像配信システム８は、再生時に、所定の期間、全景画像符号化装置８で符号化された画像データ（を復号化したデータ）のうちの領域ＡＲ１に相当する部分を、高精細画像符号化装置１０で符号化された画像データ（を復号化したデータ）で置き換えて再生するための領域ＡＲ１を、位置情報ＤＰから設定する領域抽出装置７を備えている。
　
（エ）引用例の段落【００１９】ないし【００２４】，図１，２等の記載によると、上記動画像配信システムの高精細画像符号化装置１０は、領域抽出装置７で設定された領域ＡＲ１の動画データＤＶ１を、所定の期間、フレームメモリから得て高精細符号化している。
　
（オ）まとめ 
　以上（ア）ないし（エ）の記載事項をまとめると、引用例には以下の発明（以下「引用発明」という。）が開示されているといえる。（（ａ）ないし（ｄ）は当審において付与し、以下「構成（ａ）」等として引用する。） 
　
（引用発明）
（ａ）カメラが撮像した動画像による画像データＤＶを、フレームメモリを介して符号化する全景画像符号化装置８と、位置情報ＤＰが通知されると、所定の期間、上記位置情報ＤＰに対応する上記ＤＶの所定の領域ＡＲ１について高精細符号化する高精細画像符号化装置１０と、
（ｂ）再生時に、所定の期間、全景画像符号化装置８で符号化された画像データ（を復号化したデータ）のうちの領域ＡＲ１に相当する部分を、高精細画像符号化装置１０で符号化された画像データ（を復号化したデータ）で置き換えて再生するための領域ＡＲ１を、位置情報ＤＰから設定する領域抽出装置７を備え、
（ｃ）上記動画像配信システムの高精細画像符号化装置１０は、領域抽出装置７で設定された領域ＡＲ１の動画データＤＶ１を、所定の期間、フレームメモリから得て高精細符号化する、
（ｄ）動画像配信システム。
エ．対比  
　本件補正発明と引用発明とを対比する。 
 　 
（ア）本件補正発明の構成（Ａ）と引用発明の構成（ａ）とを対比する。
　引用発明の「全景画像符号化装置８」により符号化された動画像のデータは、第１の画質を有する第１の動画像と称してもよいことは明白である。
　これに対して、高精細画像符号化装置１０により符号化された動画像のデータは、上記第１の動画像と比較して高精細符号化されることから、前記第１の画質より高い第２の画質の第２の動画像といえる。
　そして、上記第２の動画像は、全景画像符号化装置８で符号化される画像データＤＶの所定の領域ＡＲ１について符号化したものであるから、第１の動画像と同一の内容であって、前記第１の動画像の一部の領域に対応する部分の動画像である。
　上記第２の部分の動画像は、構成（ｂ）も参酌すると、「全景画像符号化装置８で符号化された画像データ（を復号化したデータ）のうちの領域ＡＲ１に相当する部分を、高精細画像符号化装置１０で符号化された画像データ（を復号化したデータ）で置き換え」るのであるから、置き換えられる全景画像符号化装置８で符号化された画像データの領域の大きさ（サイズ）と置き換える高精細画像符号化装置１０で符号化された画像データの大きさ（サイズ）は互いに対応していることは明らかである。
　以上のことから、引用発明の高精細画像符号化装置１０は、「第１の画質を有する第１の動画像と同一の内容であり、前記第１の画質より高い第２の画質で、前記第１の動画像の一部の領域に対応するサイズを有する第２の動画像を生成する画像生成部」といえるから、本件補正発明の構成（Ａ）と引用発明の構成（ａ）とに相違はない。
　
（イ）本件補正発明の構成（Ｂ）と引用発明の構成（ｂ）とを対比する。
　引用発明の「領域ＡＲ１」は、位置情報ＤＰから設定されるものであり、「全景画像符号化装置８で符号化された画像データ（を復号化したデータ）のうちの領域ＡＲ１に相当する部分を、高精細画像符号化装置１０で符号化された画像データ（を復号化したデータ）で置き換えて再生する」のであるから、全景画像符号化装置８で符号化された画像データ（を復号化したデータ）のうちの一部の領域であって、当該領域（ＡＲ１）が、全景画像符号化装置８で符号化された画像データ（を復号化したデータ）のうちのどの部分であるかを表すためのデータを有していることは明らかである。
　すなわち、全景画像符号化装置８で符号化された画像データ（を復号化したデータ）のうちの領域ＡＲ１に相当する部分を示す情報は、「全景画像符号化装置８で符号化された画像データ（を復号化したデータ）のうちの領域ＡＲ１に相当する部分を、高精細画像符号化装置１０で符号化された画像データ（を復号化したデータ）で置き換えて再生するための」ための情報ということができ、先に検討したように、引用発明の「全景画像符号化装置８で符号化された画像データ」、「高精細画像符号化装置１０で符号化された画像データ」は、それぞれ、本件補正発明の「第１の動画像（のデータ）」、「第２の動画像（のデータ）」といえるから、上記引用発明の「置き換えて再生するための情報」は、本件補正発明の「再生情報」といえる。
　そして、「領域ＡＲ１を、位置情報ＤＰから設定する領域抽出装置７」は、位置情報ＤＰから、領域ＡＲ１を設定するために、領域ＡＲ１に相当する部分を示す情報を生成していることは明白であるから、引用発明の「領域抽出装置７」は、本件補正発明の「再生情報生成部」に相当する。
　
（ウ）本件補正発明の構成（Ｃ）と引用発明の構成（ｃ）とを対比する。
　引用発明の高精細画像符号化装置１０は、「領域抽出装置７で設定された領域ＡＲ１の動画データＤＶ１を、所定の期間、フレームメモリから得て高精細符号化」している。
　先に検討したように、引用発明の「高精細画像符号化装置１０」、「領域抽出装置７」、「領域ＡＲ１」は、それぞれ、本件補正発明の「画像生成部」、「再生情報生成部」、「第２の動画像の領域」に相当し、「領域抽出装置７で設定された領域ＡＲ１の動画データＤＶ１を符号化」することは、領域抽出装置７で設定された領域ＡＲ１に基づいて当該領域を符号化（動画像の生成）しているといえるから、「前記画像生成部は、前記再生情報生成部が生成する再生情報に基づいて前記第２の動画像の領域を決定」し、「動画像を生成し」ている。
　引用発明では、高精細画像符号化装置１０、全景画像符号化装置８による符号化処理は、フレームメモリから動画像データを得て行っているから、フレーム単位でこれらの処理を行っていることは明白であり、上記フレーム単位で符号化処理を行うためには、領域ＡＲ１の決定もフレーム単位で行うことが当然であるから、フレーム毎に領域ＡＲ１の決定を行っていることは明白である。
　そして、引用発明で行われている当該符号化は、位置情報ＤＰが通知されてから「所定の期間」行われるのであって、この所定の期間は、構成（ｂ）にあるとおり、「全景画像符号化装置８で符号化された画像データ（を復号化したデータ）のうちの領域ＡＲ１に相当する部分を、高精細画像符号化装置１０で符号化された画像データ（を復号化したデータ）で置き換えて再生する」期間であるから、「前記第１の動画像及び前記第２の動画像を同時に再生させる期間」である。
　さらに、所定の期間「全景画像符号化装置８で符号化された画像データ（を復号化したデータ）のうちの領域ＡＲ１に相当する部分を、高精細画像符号化装置１０で符号化された画像データ（を復号化したデータ）で置き換えて再生する」のであるから、「決定した前記領域に対して前記第２の画質で前記領域の動画像と同一の内容の動画像を生成し」ていて、当該領域に対して動画像を生成するためには、当該領域を網羅する画素群に対して何らか画素値を与えることが必要であるから「決定した前記領域を網羅する画素群に対して前記第２の画質で前記領域の動画像と同一の内容の動画像を生成し」といえる。
　以上まとめると、引用発明では、「前記画像生成部は、前記再生情報生成部が生成する再生情報に基づいて前記第２の動画像の領域をフレーム毎に決定し、前記第１の動画像及び前記第２の動画像を同時に再生させる期間における、決定した前記領域を網羅する画素群に対して前記第２の画質で前記領域の動画像と同一の内容の動画像を生成」するということができる点で、本件補正発明と対応している。
　もっとも、本件補正発明では、「前記画像生成部」は、「前記第１の動画像の伝送時の帯域に応じて前記第２の動画像の伝送時の帯域を決定」しているのに対し、引用発明では、「前記画像生成部（高精細画像符号化装置１０）」が、「前記第１の動画像の伝送時の帯域に応じて前記第２の動画像の伝送時の帯域を決定」していない点で相違する。
　
（エ）本件補正発明の構成（Ｄ）と引用発明の構成（ｄ）とを対比する。
　引用発明の「動画像配信システム」も、映像を符号化処理して伝送するものであり、本件補正発明の構成（Ｄ）の「映像処理装置」と相違しない。
（オ）まとめ（一致点・相違点） 
　以上まとめると、本件補正発明と引用発明とは以下の一致点で一致し相違点で相違する。 
 　 
（一致点）
　第１の画質を有する第１の動画像と同一の内容であり、前記第１の画質より高い第２の画質で、前記第１の動画像の一部の領域に対応するサイズを有する第２の動画像を生成する画像生成部と、
　前記第１の動画像の一部を前記第２の動画像に置き換えて前記第１の動画像及び前記第２の動画像を同時に再生させるための再生情報を生成する再生情報生成部と、
を備え、
　前記画像生成部は、前記再生情報生成部が生成する再生情報に基づいて前記第２の動画像の領域をフレーム毎に決定し、前記第１の動画像及び前記第２の動画像を同時に再生させる期間における、決定した前記領域を網羅する画素群に対して前記第２の画質で前記領域の動画像と同一の内容の動画像を生成する、映像処理装置。
　 
（相違点） 
　前記画像生成部が、本件補正発明では、「前記第１の動画像の伝送時の帯域に応じて前記第２の動画像の伝送時の帯域を決定する」のに対して、引用発明では、「前記第１の動画像の伝送時の帯域に応じて前記第２の動画像の伝送時の帯域を決定する」ことを行っていない点。
 　 
オ．判断 
（相違点）について 
　本件補正発明の「前記第１の動画像の伝送時の帯域に応じて前記第２の動画像の伝送時の帯域を決定する」とは、本願明細書の「例えば、伝送帯域が５Ｍｂｐｓで、（再生動画送出部１１０から送出される）再生動画ｖ１０の伝送レートが４Ｍｂｐｓであり、補間動画ｖ１２の伝送用の帯域が残りの１Ｍｂｐｓとして動画伝送が始められる場合を考える。この場合、再生動画ｖ１０の伝送レート：補間動画ｖ１２の伝送レート＝４：１とする。ＭＰＥＧ−ＤＡＳＨでは、動画伝送時の実効レートを計測し、その実効レートに合わせて動画伝送レートを変動させる。この時、再生装置２００は、双方の動画伝送の実効レートの総和を求めて実効伝送レートの合計を求め、再生動画ｖ１０の伝送レートは実効伝送レートの合計の４／５、補間動画ｖ１２の伝送レートは実効伝送レートのその１／５のレートを上限とする事で、双方の動画の伝送レート調整を調整してもよい。」（段落【０１１９】）との記載によれば、再生動画ｖ１０（第１の画質を有する第１の動画像）と補間動画ｖ１２（第２の動画像）の双方の動画伝送の実効レートの合計を求め、再生動画ｖ１０の伝送レートは実効伝送レートの合計の４／５、補間動画ｖ１２の伝送レートは実効伝送レートのその１／５のレートを上限とする事で、双方の動画の伝送レートを適宜に配分して調整するものと解釈できる。
　この点に関して、引用例の記載を検討すると「このため１つのピクチャーの特定の領域についてのみデータ圧縮率を小さくして動画像データをデータ圧縮することにより、１つのピクチャーの中で、ユーザーが詳細な画像を求める部分だけ高精細な画像により伝送し、背景等のユーザーがあまり詳細な画像を求めない部分については、画質の劣化を許容して画像を伝送し、これらにより容量に限りのある通信回線により動画像データを効率良く伝送する方法が提案されるようになされている（いわゆるＲＯＩ：である）。」（段落【０００５】）との記載がある。
　当該記載によれば、高精細な画像として伝送する部分とあまり詳細な画像を求めない部分とに分けて、容量に限りのある通信回線により動画像データを効率良く伝送する技術思想が開示されており、当該記載を見た当業者であれば、容量に限りのある通信回線を利用して動画像データを効率良く伝送するために、高精細な画像として伝送する部分とあまり詳細な画像を求めない部分とで、双方に割り当てる伝送容量を調整して伝送することは、当業者であれば、容易に想起しえたことである。
　そうすると、引用発明において、あまり詳細な画像を求めない部分と、高精細な画像として伝送する部分とで、通信容量の制限内で伝送レートを適宜に配分して動画像データを効率良く伝送する、すなわち、本件補正発明のように「前記第１の動画像の伝送時の帯域に応じて前記第２の動画像の伝送時の帯域を決定する」ことは当業者が容易に想到できることである。
 　 
カ．効果 
　以上のように、上記相違点は、当業者が容易に想到し得たものと認められ、本件補正発明全体としてみても格別のものはなく、その作用効果も、上記相違点に係る構成の採用に伴って当然に予測される程度のものにすぎず、格別顕著なものがあるとは認められない。　　 
 　 
キ．まとめ（独立特許要件）  
　以上、本件補正発明は、引用例に記載の発明に基いて当業者が容易に発明をすることができたものであるから、特許法第２９条第２項の規定により特許出願の際独立して特許を受けることができないものである。  
 　  
（４）むすび（補正却下）  
　したがって、本件補正は、特許法第１７条の２第６項において準用する同法第１２６条第７項の規定に違反するので、同法第１５９条第１項において読み替えて準用する同法第５３条第１項の規定により却下すべきものである。  
 　  
　よって、補正の却下の決定の結論のとおり、決定する。  
 　 
第３　本願発明について  
１．本願発明 
　平成２８年５月９日付けの手続補正は上記のとおり却下されたので、本願の請求項１ないし請求項１６に係る発明は、明細書及び図面（平成２７年６月１５日付けの手続補正書により補正された明細書）の記載からみて、それぞれ、その特許請求の範囲の請求項１ないし請求項１６に記載した事項により特定されるとおりのものであるところ、そのうち、請求項１に係る発明（以下「本願発明」という。）は、以下のとおりのである。  
　　【請求項１】
　第１の画質を有する第１の動画像と同一の内容であり、前記第１の画質より高い第２の画質で、前記第１の動画像の一部の領域に対応するサイズを有する第２の動画像を生成する画像生成部と、
　前記第１の動画像の一部を前記第２の動画像に置き換えて前記第１の動画像及び前記第２の動画像を同時に再生させるための再生情報を生成する再生情報生成部と、
を備え、
　前記画像生成部は、前記再生情報生成部が生成する再生情報に基づいて前記第２の動画像の領域をフレーム毎に決定し、前記第１の動画像及び前記第２の動画像を同時に再生させる期間における、決定した前記領域を網羅する画素群に対して前記第２の画質で前記領域の動画像と同一の内容の動画像を生成する、映像処理装置。
  
２．引用例の記載  
　原査定の拒絶の理由に引用された刊行物である特開２００２−３３０４４０号公報（以下「引用例」という。）には、上記「第２　２．（３）イ．引用例の記載」で述べたとおりの記載、及び上記「第２　２．（３）ウ．引用例に記載された発明」で述べたとおりの引用発明が記載されている。  
　
３．対比・判断 
　本願発明は、「第２　２．（３）ア．」で認定した本件補正発明との対比で見ると、補正後発明の構成（Ｃ）における、「前記第１の動画像の伝送時の帯域に応じて前記第２の動画像の伝送時の帯域を決定する」の限定事項を削除したものであって、その余の点は、本件補正発明と本願発明との間に相違はない。
　してみると、本願発明と引用発明との対比においては、「第２　２．（３）エ．対比」の一致点は共通し、相違点を有さないものといえる。
　
第４　むすび 
　以上、本件出願の請求項１に係る発明は、その出願前に日本国内において、頒布された刊行物（引用例）に記載された発明であるから、特許法第２９条第１項第３号に該当し、特許を受けることができない。 
　したがって、残る請求項に係る発明について検討するまでもなく、本件出願は拒絶をすべきものである。 
　よって、結論のとおり審決する。